(57)【要約】  経路制御装置に、上位レイヤから送信されたユーザデータパケットに対して、連続したシーケンスナンバを割り当てるシーケンスナンバ割り当て手段と、シーケンスナンバを割り当てたユーザデータパケットをハンドオーバ元の基地局またはハンドオーバ先の基地局に送信する送信手段とを備え、基地局に、経路制御装置から送信されたユーザデータパケットおよびハンドオーバ元の基地局から転送されたユーザデータパケットのうち少なくとも一方を、各ユーザデータパケットに連続的に割り当てられたシーケンスナンバにしたがって、正しい順序に並べ替える順序補正手段と、経路制御装置から送信され、ハンドオーバ元の基地局で未送信並びに送達確認待ちで、前記シーケンスナンバが割り当てられたデータパケットをハンドオーバ先の基地局に転送する転送手段とを備えることにより達成される。
2007116701.tif 000002
【特許請求の範囲】
【請求項１】
経路制御装置から送信されたユーザデータパケットおよびハンドオーバ元の基地局から転送されたユーザデータパケットのうち少なくとも一方を、各ユーザデータパケットに連続的に割り当てられたシーケンスナンバにしたがって、正しい順序に並べ替える順序補正手段；
経路制御装置から送信され、ハンドオーバ元の基地局で未送信並びに送達確認待ちで、前記シーケンスナンバが割り当てられたデータパケットをハンドオーバ先の基地局に転送する転送手段；
を備えることを特徴とする基地局。
【請求項２】
請求項１に記載の基地局において：
前記シーケンスナンバは、前記経路制御装置との間で定義されるフレームプロトコルのデータ単位に付与されているシーケンスナンバであることを特徴とする基地局。
【請求項３】
請求項２に記載の基地局において：
前記転送手段は、前記経路装置との間に適用される前記フレームプロトコルと同一のデータフレーム形式で、該転送用のデータパケットをハンドオーバ先の基地局に転送することを特徴とする基地局。
【請求項４】
請求項１に記載の基地局において：
前記シーケンスナンバは、前記経路制御装置との間で定義されるＧＴＰ−ｕのデータ単位に付与されているシーケンスナンバであることを特徴とする基地局。
【請求項５】
請求項４に記載の基地局において：
前記転送手段は、前記経路装置との間に適用される前記ＧＴＰ−ｕと同一のデータフレーム形式で、該転送用のデータパケットをハンドオーバ先の基地局に転送することを特徴とする基地局。
【請求項６】
請求項１に記載の基地局において：
前記転送手段は、前記経路制御装置との間に適用されるプロトコルとは、異なる他のプロトコルをハンドオーバ先の基地局との間に適用し、該他のプロトコルに基づいて、転送用のユーザデータパケットを作成し、該転送用のデータパケットをハンドオーバ先の基地局に転送することを特徴とする基地局。
【請求項７】
上位レイヤから送信されたユーザデータパケットに対して、連続したシーケンスナンバを割り当てるシーケンスナンバ割り当て手段；
シーケンスナンバを割り当てたユーザデータパケットをハンドオーバ元の基地局またはハンドオーバ先の基地局に送信する送信手段；
を備えることを特徴とする経路制御装置。
【請求項８】
請求項７に記載の経路制御装置において：
前記シーケンスナンバは、該基地局との間で定義されるフレームプロトコルのデータ単位に付与されているシーケンスナンバであることを特徴とする経路制御装置。
【請求項９】
請求項７に記載の経路制御装置において：
前記シーケンスナンバは、該基地局との間で定義されるＧＴＰ−ｕのデータ単位に付与されているシーケンスナンバであることを特徴とする経路制御装置。
【請求項１０】
経路制御装置が、上位レイヤから送信されたユーザデータパケットに対して、連続したシーケンスナンバを割り当てるシーケンスナンバ割り当てステップ；
経路制御装置が、シーケンスナンバを割り当てたユーザデータパケットをハンドオーバ元の基地局またはハンドオーバ先の基地局に送信する送信ステップ；
ハンドオーバ先の基地局が、経路制御装置から送信されたユーザデータパケットおよびハンドオーバ元の基地局から転送されたユーザデータパケットのうち少なくとも一方を、各ユーザデータパケットに連続的に割り当てられたシーケンスナンバにしたがって、正しい順序に並べ替える順序補正ステップ；
を有することを特徴とするハンドオーバ制御方法。
【請求項１１】
請求項１０に記載のハンドオーバ制御方法において：
ハンドオーバ元の基地局が、移動局がハンドオーバを行う場合に、前記経路制御装置から送信されたユーザデータパケットのうち、未送信並びに送達確認待ちのユーザデータパケットであり、シーケンスナンバが連続的に割り当てられたユーザデータパケットをハンドオーバ先の基地局に転送するステップ；
を有することを特徴とするハンドオーバ制御方法。
【発明の詳細な説明】
【技術分野】
【０００１】
本発明は、移動局が、経路制御装置に接続された２つの基地局間でハンドオーバを行う際の、送信データの順序制御技術に関し、特に、転送データと、経路切換後のデータの順序制御を行う基地局および経路制御装置並びにハンドオーバ制御方法に関する。
【背景技術】
【０００２】
ＩＭＴ−２０００システムでは、ＵＥ（Ｕｓｅｒ  Ｅｑｕｉｐｍｅｎｔ）が、同一のＳＧＳＮ（Ｓｅｒｖｉｎｇ  ＧＰＲＳ  Ｓｕｐｐｏｒｔ  Ｎｏｄｅ）配下に接続された２つのＲＮＣ（Ｒａｄｉｏ  Ｎｅｔｗｏｒｋ  Ｃｏｎｔｒｏｌｌｅｒ）に接続されたＮｏｄｅＢ間を跨るハンドオーバ（リロケーション）が行なわれる。【０００３】
この場合、レイヤ２のサブレイヤ、例えば、ＰＤＣＰ（Ｐａｃｋｅｔ  Ｄａｔａ  Ｃｏｎｖｅｒｇｅｎｃｅ  Ｐｒｏｔｏｃｏｌ）で、ロスレスハンドオーバが実現される。このために、ハンドオーバ元の旧ＲＮＣからハンドオーバ先の新ＲＮＣに対して、新ＲＮＣとＵＥとの間で、プロトコルの状態同期、例えば、ＰＤＣＰのシーケンスナンバの同期が実施され、未受信のＰＤＣＰ  ＰＤＵ（Ｐｒｏｔｏｃｏｌ  Ｄａｔａ  Ｕｎｉｔ）が転送される。【０００４】
この時、旧ＲＮＣに蓄積されているＰＤＣＰ  ＰＤＵの転送が完了してから新ＲＮＣは、ＳＧＳＮに対して、ダウンリンクのUプレーンの開通を要求する。
【非特許文献１】ＴＳ  ２５．３２３
【発明の開示】
【発明が解決しようとする課題】
【０００５】
しかしながら、上述した背景技術には以下の問題がある。【０００６】
ＩＭＴ−２０００システムでは、リロケーション開始時に、旧ＲＮＣからＳＧＳＮに対して、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）を用いて、リロケーション開始メッセージが送信され、旧ＲＮＣへのパスを停止するトリガとなる。【０００７】
ＵＥがハンドオーバ後、旧ＲＮＣから新ＲＮＣに対して、ＰＤＣＰ  ＰＤＵが転送され、転送完了後に、ＳＧＳＮに対して、新ＲＮＣは、リロケーション完了コマンドを送信する。これをトリガとして、新ＲＮＣへのＵプレーンを開通する。このため、ハンドオーバのインタラプションタイムが長くなっていた。【０００８】
一方、基地局間でユーザデータパケットを転送するシステムにおいて、ＩＭＴ−２０００が適用されるシステムのように、新基地局へのユーザデータパケットの転送が完了するまで、アクセスゲートウェイの転送経路の切換を行わない場合には、ＬＴＥシステムでは、ＩＭＴ−２０００に比べ、高いパフォーマンスが期待されており、旧基地局に大量のユーザデータパケットが蓄積している可能性がある。【０００９】
このため、中断時間（インタラプションタイム）が大幅に増加し、上位レイヤのパフォーマンスに影響する虞がある。【００１０】
また、これを避ける為に、転送中にアクセスゲートウェイの転送経路切換を行う場合、アクセスゲートウェイから旧基地局を介してターゲット基地局へ転送されるユーザデータパケット、並びに、パス切換後にアクセスゲートウェイから新基地局へ転送されるユーザデータパケットが新基地局で混在し、転送順序が不明になり、上位レイヤ、例えば、ＴＣＰ（Ｔｒａｎｓｍｉｓｓｉｏｎ  Ｃｏｎｔｒｏｌ  Ｐｒｏｔｏｃｏｌ）の特性が劣化する虞がある。【００１１】
本発明は、この点を鑑みてなされたものであり、転送データに対してシーケンスナンバの連続性を引継ぎ、新基地局でデータを正しい順序に整列させることができる基地局および経路制御装置並びにハンドオーバ制御方法を提供することを目的とする。
【課題を解決するための手段】
【００１２】
上記課題を解決するため、本発明の基地局は、
経路制御装置から送信されたユーザデータパケットおよびハンドオーバ元の基地局から転送されたユーザデータパケットのうち少なくとも一方を、各ユーザデータパケットに連続的に割り当てられたシーケンスナンバにしたがって、正しい順序に並べ替える順序補正手段と、
経路制御装置から送信され、ハンドオーバ元の基地局で未送信並びに送達確認待ちで、前記シーケンスナンバが割り当てられたデータパケットをハンドオーバ先の基地局に転送する転送手段と
を備えることを特徴の１つとする。【００１３】
このように構成することにより、経路制御装置において連続的に付与されたシーケンスナンバを用いて、ハンドオーバ先の基地局は、ユーザデータパケットの順序補正を行うことができる。【００１４】
本発明の経路制御装置は、
上位レイヤから送信されたユーザデータパケットに対して、連続したシーケンスナンバを割り当てるシーケンスナンバ割り当て手段と、
シーケンスナンバを割り当てたユーザデータパケットをハンドオーバ元の基地局またはハンドオーバ先の基地局に送信する送信手段と
を備えることを特徴の１つとする。【００１５】
このように構成することにより、ユーザデータパケットに連続したシーケンスナンバを割り当て、該シーケンスナンバを示す情報をユーザデータパケットに格納することができる。【００１６】
本発明のハンドオーバ制御方法は、
経路制御装置が、上位レイヤから送信されたユーザデータパケットに対して、連続したシーケンスナンバを割り当てるシーケンスナンバ割り当てステップと、
経路制御装置が、シーケンスナンバを割り当てたユーザデータパケットをハンドオーバ元の基地局またはハンドオーバ先の基地局に送信する送信ステップと、
ハンドオーバ先の基地局が、経路制御装置から送信されたユーザデータパケットおよびハンドオーバ元の基地局から転送されたユーザデータパケットのうち少なくとも一方を、各ユーザデータパケットに連続的に割り当てられたシーケンスナンバにしたがって、正しい順序に並べ替える順序補正ステップと
を有することを特徴の１つとする。【００１７】
このようにすることにより、経路制御装置がユーザデータパケットに対し、連続したシーケンスナンバを割り当て、該シーケンスナンバを示す情報を格納することができ、ハンドオーバ先の基地局は、シーケンスナンバを用いて、経路制御装置からハンドオーバ元の基地局を介してハンドオーバ先の基地局に伝送されるユーザデータパケットと、パス切り替え後に経路制御装置から送信されるユーザデータパケットとを正しい順序に整列できる。
【発明の効果】
【００１８】
本発明の実施例によれば、転送データに対してシーケンスナンバの連続性を引継ぎ、新基地局でデータを正しい順序に整列させることができる基地局および経路制御装置並びにハンドオーバ制御方法を実現できる。
【図面の簡単な説明】
【００１９】
【図１】本発明の一実施例にかかる無線アクセスネットワークを示す説明図である。
【図２】本発明の一実施例にかかるアクセスゲートウェイを示すブロック図である。
【図３】本発明の一実施例にかかる基地局を示すブロック図である。
【図４】ＦＰデータフレームを示す説明図である。
【図５】本発明の一実施例にかかるアクセスゲートウェイの動作を示すフロー図である。
【図６】本発明の一実施例にかかる基地局の動作を示すフロー図である。
【図７】本発明の一実施例にかかる基地局の動作を示すフロー図である。
【図８】本発明の一実施例にかかる基地局の動作を示すフロー図である。
【図９】本発明の一実施例にかかる基地局の動作を示す説明図である。
【図１０】転送データフレームを示す説明図である。
【図１１】本発明の一実施例にかかる基地局の動作を示すフロー図である。
【図１２】本発明の一実施例にかかる基地局の動作を示すフロー図である。
【図１３】本発明の一実施例にかかる基地局の動作を示すフロー図である。
【符号の説明】
【００２０】
１００  無線アクセスネットワーク
２００  コアネットワーク
３００、３００１、３００２、３００３  アクセスゲートウェイ（ａＧＷ）
４００、４００１、４００２、４００３  基地局（ｅＮＢ：  ｅＮｏｄｅ  Ｂ）
５００  移動局（ＵＥ：  Ｕｓｅｒ  Ｅｑｕｉｐｍｅｎｔ）
【発明を実施するための最良の形態】
【００２１】
次に、本発明の実施例について図面を参照して説明する。
なお、実施例を説明するための全図において、同一機能を有するものは同一符号を用い、繰り返しの説明は省略する。【００２２】
本発明の実施例にかかる無線アクセスネットワークについて、図１を参照して説明する。【００２３】
本実施例にかかる無線アクセスネットワーク（ＲＡＮ：  Ｒａｄｉｏ  Ａｃｃｅｓｓ  Ｎｅｔｗｏｒｋ）１００は、経路制御装置としてのアクセスゲートウェイ（ＡＣＧＷ：  ＡＣｃｅｓｓ  ＧａｔｅＷａｙ）３００と、アクセスゲートウェイ３００の配下に接続された基地局４００、例えば基地局４００１および基地局４００２と、移動局５００とを備える。アクセスゲートウェイ４００には、例えばＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイが含まれる。本実施例にかかる無線アクセスネットワーク１００においては、基地局４００１がハンドオーバ元の旧基地局、基地局４００２がハンドオーバ先の新基地局である場合について説明する。【００２４】
本実施例においては、無線アクセスネットワークに着目して説明する。しかし、実際の無線通信システムは、無線アクセスネットワーク１００以外の構成要素、例えば、コアネットワーク（ＣＮ：  Ｃｏｒｅ  Ｎｅｔｗｏｒｋ）などを含んで構成される。【００２５】
また、本実施例においては、２つの基地局がアクセスゲートウェイ３００を介して接続される場合について説明するが、これに限定されるべきではない。例えば、アクセスゲートウェイ３００の配下においてルータ、あるいはスイッチなどの中継装置を用いて接続してするようにしてもよい。【００２６】
アクセスゲートウェイ３００と基地局４００との間では、ユーザデータを転送するために、データフレームを用いて、ユーザデータパケットの転送が行われ、データフレームを構成するためのプロトコル、例えば、フレームプロトコル（ＦＰ：  Ｆｒａｍｅ  Ｐｒｏｔｏｃｏｌ）が終端される。【００２７】
本実施例では、アクセスゲートウェイ３００と基地局４００との間で終端されるプロトコルの一例として、フレームプロトコルを適用した場合について説明するが、これに限定されるべきではない。例えば、フレームプロトコル以外のプロトコル、例えば、ＧＰＲＳ  トンネリング  プロトコル（ＧＴＰ：  ＧＰＲＳ  Ｔｕｎｎｅｌｉｎｇ  Ｐｒｏｔｏｃｏｌ）を適用してもよい。【００２８】
本実施例においては、アクセスゲートウェイ３００と基地局４００との間に適用されるフレームプロトコルと同一のデータフレーム形式で、転送用のデータパケットがハンドオーバ先の基地局に転送される。また、上述したようにＧＴＰが適用される場合には、ＧＴＰと同一のデータフレーム形式で、転送用のデータパケットがハンドオーバ先の基地局に転送されるようにしてもよい。【００２９】
次に、本発明の実施例にかかるアクセスゲートウェイ３００について、図２を参照して説明する。【００３０】
本実施例にかかるアクセスゲートウェイ３００は、制御部３０２と、制御部３０２と接続されたユーザデータパケットに対してシーケンスナンバ割り当て手段としてのフレームプロトコル（ＦＰ）部３０２および送信手段としての有線伝送部３０６とを備える。有線伝送部３０６とＦＰ部３０４とは、データの入出力を行う。【００３１】
制御部３０２は、アクセスゲートウェイが備える各機能エンティティに対し、制御行う。【００３２】
有線伝送部３０６は、フレームプロトコルのデータフレームを基地局４００へ転送する。例えば、有線伝送部３０６は、ハンドオーバ元の旧基地局４００１から送信されたデータフレームをハンドオーバ先の新基地局４００２に転送する。【００３３】
ＦＰ部３０４は、有線伝送部３０６を介して受信されたコアネットワークからのユーザデータパケットに無線アクセスネットワーク特有の処理、例えばセキュリティのための秘匿、ヘッダ圧縮が施されたデータユニットに対して、該ＦＰデータフレームに、連続したシーケンスナンバを割当てる。例えば、ＦＰ部３０４は、有線伝送部３０６を介して受信されたコアネットワークからのＩＰデータグラムに無線アクセスネットワーク特有の処理が施されたＰＤＣＰ  ＰＤＵ（ＰＤＣＰ  Ｐｒｏｔｏｃｏｌ  Ｄａｔａ  Ｕｎｉｔ）に対して、該ＦＰデータフレームに、連続したシーケンスナンバを割当て、該シーケンスナンバを示す情報を該当するユーザデータパケットに格納する。また、上述したようにＧＴＰが適用される場合には、ＧＴＰ  ＰＤＵに、連続したシーケンスナンバを割当て、該シーケンスナンバを示す情報を該当するユーザデータパケットに格納するようにしてもよい。【００３４】
ここで、ＰＤＣＰ  ＰＤＵと、ＦＰデータフレームは、１対１に対応の関係となる。すなわち、１フレームプロトコルデータフレームは１ＰＤＣＰ  ＰＤＵである。しかし、これに限定されるべきではなく、ＨＳ−ＤＳＣＨ  ＦＰ（Ｈｉｇｈ  Ｓｐｅｅｄ−Ｄｏｗｎｌｉｎｋ  Ｓｈａｒｅｄ  Ｃｈａｎｎｅｌ  ＦＰ）のように、１ＦＰデータフレームに複数ＰＤＵを含むように構成してもよい。また、上述したようにＧＴＰが適用される場合には、ＩＰパケットと１ＧＴＰ  ＰＤＵは、１対１に対応の関係となるようにしてもよいし、１ＧＴＰ  ＰＤＵに複数ＩＰパケットを含むように構成してもよい。【００３５】
次に、本実施例にかかる基地局４００について、図３を参照して説明する。【００３６】
本実施例にかかる基地局４００は、制御部４０２と、制御部４０２と接続されたデータ格納手段および順序補正手段としてのデータ格納順序補正部４１０、有線伝送部４０４、転送手段としてのデータ転送部４０８、およびフレームプロトコル（ＦＰ）部４０６とを備える。ＦＰ部４０６は、データ格納順序補正部４１０および有線伝送部４０４とデータの入出力を行う。データ転送部４０８は、有線伝送部４０４とデータの入出力を行う。【００３７】
制御部４０２は、自基地局が備える各機能エンティティに対し、制御を行う。例えば、制御部４０２は、ハンドオーバプロシージャを起動する。その結果、移動局はハンドオーバを行う。【００３８】
有線伝送部４０４は、アクセスゲートウェイ３００から転送されてきたＦＰデータフレームをＦＰ部４０６へ入力する。また、有線伝送部４０４は、データ転送部４０８から転送された転送データフレーム、例えばＦＰデータフレームをハンドオーバ先の新基地局へ転送する。その結果、転送データフレームは、アクセスゲートウェイ３００を介して、ハンドオーバ先の新基地局へ転送される。【００３９】
ＦＰ部４０６は、ＦＰデータフレームをデータ格納順序補正部４１０へ格納する。例えば、ＦＰ部４０６は、アクセスゲートウェイ３００から転送されてきたＦＰデータフレームをデータ格納順序補正部４１０へ格納する。データ転送部４０８は、ハンドオーバ元基地局４００２から転送された転送データフレームをデータ格納順序補正部４１０に入力する。また、データ転送部４０８は、データ格納順序補正部４１０に格納された未送信、送達確認待ちのＦＰデータフレームをハンドオーバ先の新基地局へ転送する。その結果、データ格納順序補正部４１０に格納している未送信、送達確認待ちのＦＰデータフレームは、有線伝送部４０４を介して、ハンドオーバ先の新基地局へ転送される。データ格納順序補正部４１０は、ＦＰ部４０６から転送されたＦＰデータフレームと、データ転送部４０８から入力されたハンドオーバ元の旧基地局４００１からの転送データフレーム、例えばＦＰデータフレームの順序を所定の順序、例えばシーケンスナンバ順に整列させ、整列したデータを格納する。例えば、データ格納順序補正部４１０は、各ユーザデータパケットに予め格納され、連続的に割り当てられたシーケンスナンバを参照し、該シーケンスナンバにしたがって、格納する。【００４０】
次に、本実施例にかかるＦＰデータフレームについて、図４を参照して説明する。【００４１】
本実施例にかかるＦＰデータフレームは、ヘッダ部、ペイロード部およびトレイラ部から構成される。【００４２】
ヘッダ部には、少なくともシーケンスナンバが含まれる。ヘッダ部には、シーケンスナンバ以外に、基地局４００で、ユーザデータのプライオリティを認識するためのプライオリティ情報や、将来の機能拡張を想定し、スペアビットに割当てるようにしてもよい。例えば、ヘッダ部には、優先制御フラグ、例えばＳＡＥ  Ｒａｄｉｏ  Ｂｅａｒｅｒ  Ｔｙｐｅが格納される。【００４３】
ペイロード部には、少なくとも１以上のＰＤＣＰ  ＰＤＵが含まれる。【００４４】
トレイラ部には、ＦＰデータフレームの誤りをチェックするためのＣＲＣ（Ｃｙｃｌｉｃ  Ｒｅｄｕｎｄａｎｃｙ  Ｃｈｅｃｋ）が含まれる。また、トレイラ部には将来の機能拡張を想定し、スペアビットに割当てるようにしてもよい。【００４５】
ここで、本実施例において説明したデータフレームの構成は、一例であり、これに限定されるものではない。本実施例にかかる転送フレームの一例について説明する。
また、上述したようにＧＴＰが適用される場合には、ヘッダ部には、少なくともシーケンスナンバが含まれる。ヘッダ部には、シーケンスナンバ以外に、基地局４００で、ベアラを識別するためのＴＥ−ＩＤを含んで構成しても良い。ヘッダを拡張できる構成としても良い。
ペイロード部には、少なくとも１以上のＩＰパケットが含まれる。【００４６】
ハンドオーバ元の旧基地局のＦＰ部４０６は、アクセスゲートウェイ３００から転送されたＦＰデータフレームを、データ格納順序補正部４１０へ格納し、ハンドオーバの際に、ハンドオーバ先の新基地局へＦＰデータフレームと同一のデータフレームで転送する。その結果、データ転送部４０８および有線伝送部４０４を介して、ハンドオーバ先の新基地局へ転送される。この場合、転送データフレームの構成は、ＦＰデータフレームと同一となる。また、上述したようにＧＴＰが適用される場合には、ハンドオーバ元の旧基地局は、アクセスゲートウェイ３００から転送されたＧＴＰ  ＰＤＵを格納し、ハンドオーバの際に、ハンドオーバ先の新基地局へＧＴＰ  ＰＤＵと同一のデータフレームで転送するようにしてもよい。【００４７】
次に、本実施例にかかるアクセスゲートウェイ３００の動作について、図５を参照して説明する。【００４８】
アクセスゲートウェイ３００のＦＰ部３０４は、上位のレイヤ、例えばＰＤＣＰからＰＤＵ（プロトコルデータユニット）を受け取ったか否か判断する（ステップＳ５０２）。【００４９】
上位のレイヤからプロトコルデータユニットを受け取っていないと判断した場合（ステップＳ５０２：ＮＯ）、当該処理を終了する。【００５０】
一方、上位のレイヤからプロトコルデータユニットを受け取っていると判断した場合（ステップＳ５０２：ＹＥＳ）、ＦＰ部３０４はプロトコルデータユニット毎に、連続したシーケンスナンバを割当て、該シーケンスナンバを示す情報を格納したＦＰデータフレームを作成し、作成したＦＰデータフレームを基地局４００へ転送する。その結果、ＦＰデータフレームは、有線伝送部３０６を介して、基地局４００へ転送される。例えば、ＦＰ部３０４は、パススイッチが行われる前であれば、ハンドオーバ元の旧基地局４００１にＦＰデータフレームを転送し、パススイッチが行われた後であれば、ハンドオーバ先の新基地局４００２にＦＰデータフレームを転送する。また、上述したようにＧＴＰが適用される場合には、ユーザデータ毎に、連続したシーケンスナンバを割当て、該シーケンスナンバを示す情報を格納したＧＴＰ  ＰＤＵを作成し、作成したＧＴＰ  ＰＤＵを基地局４００へ転送する。  本実施例においては、一例としてプロトコルデータユニット毎にＦＰデータフレームを作成する場合について説明したが、これに限定されるものではない。【００５１】
次に、本実施例にかかる基地局４００の動作について、図６、図７および図８を参照して説明する。【００５２】
ここでは、ハンドオーバ元の旧基地局、ハンドオーバ先の新基地局に分けてその動作を説明する。【００５３】
ハンドオーバ元の旧基地局の動作フローについて、図６および図７を参照して説明する。【００５４】
基地局４００のＦＰ部４０６は、ＦＰデータフレームを受信したか否か判断する（ステップＳ６０２）。【００５５】
ＦＰデータフレームを受信していないと判断した場合（ステップＳ６０２：ＮＯ）、当該処理を終了する。【００５６】
一方、ＦＰデータフレームを受信していると判断した場合（ステップＳ６０２：ＹＥＳ）、ＦＰ部４０６は、データ格納順序補正部４１０に、受信したＦＰデータフレームを格納する（ステップＳ６０４）。次に、ハンドオーバが開始される場合におけるハンドオーバ元の旧基地局の動作について、図７を参照して説明する。【００５７】
制御部４０２は、ハンドオーバプロシージャが起動しているか否か判断する（ステップＳ７０２）。【００５８】
ハンドオーバプロシージャが起動されていないと判断された場合（ステップＳ７０２：ＮＯ）、当該処理を終了する。【００５９】
一方、ハンドオーバプロシージャが起動されていると判断された場合（ステップＳ７０２：ＹＥＳ）、データ転送部４０８は、データ格納順序補正部４１０に格納されている未送信、並びに、送達確認待ちのＦＰデータフレームをハンドオーバ先の新基地局（ターゲット基地局）４００２へ転送する（ステップＳ７０４）。次に、ハンドオーバ先の新基地局の動作フローについて、図８を参照して説明する。【００６０】
基地局４００のＦＰ部４０６は、ＦＰデータフレームを受信したか否か判断する（ステップＳ８０２）。例えば、基地局４００２のＦＰ部４０６は、アクセスゲートウェイ３００からＦＰデータフレームを受信したか否かを判断する。【００６１】
ＦＰデータフレームを受信していないと判断された場合（ステップＳ８０２：ＮＯ）、データ転送部４０８は、ハンドオーバ元の旧基地局から転送データフレーム（ＦＰデータフレーム）を受信したか否か判断する（ステップＳ８０４）。【００６２】
ハンドオーバ元の旧基地局からの転送データフレームを受信していない場合（ステップＳ８０４：ＮＯ）、当該処理を終了する。【００６３】
一方、ＦＰデータフレームを受信したと判断された場合（ステップＳ８０２：ＹＥＳ）または転送データフレームを受信している場合（ステップＳ８０４：ＹＥＳ）、データ格納順序補正部４１０は、ＦＰ部４０６により入力されたＦＰデータフレームと、データ転送部４０８により入力された転送データフレームに対して、該ＦＰデータフレームに含まれるシーケンスナンバを示す情報と同一のシーケンスナンバの箇所にＦＰデータフレームを格納する（ステップＳ８０６）。データ格納順序補正部４１０は、バッファを備え、該バッファにはシーケンスナンバが予め指定されている（リオーダリングバッファ）。一例として、アクセスゲートウェイ３００が、パススイッチ前にハンドオーバ元基地局４００１に対して、＃１〜＃３に対応するＦＰデータフレームを送信し、パススイッチ後に＃４〜＃６に対応するＦＰデータフレームをハンドオーバ先基地局４００２に送信した場合について、図９を参照して説明する。【００６４】
この場合、ハンドオーバ元の旧基地局４００１は、＃１〜＃３に対応するＦＰデータフレームを転送データフレームとして、アクセスゲートウェイ３００を介して、ハンドオーバ先の新基地局４００２に転送する。【００６５】
ハンドオーバ先の新基地局４００２のデータ格納順序補正部４１０に備えられたリオーダリングバッファには、アクセスゲートウェイ３００が、パススイッチ後に送信したＦＰデータフレームと、ハンドオーバ元の旧基地局４００１がパススイッチ前に送信したＦＰデータフレームとが格納される。【００６６】
次に、データ格納順序補正部４１０は、格納されたＦＰデータフレームあるいはハンドオーバ元の旧基地局４００１からの転送データフレームが、正しい順序で到着しているか否か判断する（ステップＳ８０８）。【００６７】
正しい順序で到着していると判断された場合（ステップＳ８０８：ＮＯ）、整列済みのユーザデータを該当プロトコル、例えば、ＭＡＣ（Ｍｅｄｉａ  Ａｃｃｅｓｓ  Ｃｏｎｔｒｏｌ）へ転送する（ステップＳ８１０）。【００６８】
一方、正しい順序に整列されていないと判断された場合（ステップＳ８０８：ＹＥＳ）、データ格納順序補正部４１０は、正しい順序に整列できるまでＦＰデータフレーム、あるいは、転送データフレームを格納し、正しく整列できた段階で、ユーザデータを該当プロトコル、例えばＭＡＣへ転送する（ステップＳ８１２）。【００６９】
例えば、図９に示すように、ハンドオーバ元の旧基地局４００１から転送された＃１〜＃３に対応するＦＰデータフレームおよびアクセスゲートウェイ３００から送信された＃４〜＃６に対応するＦＰデータフレームのうち、ハンドオーバ先の新基地局４００２のリオーダリングバッファには、＃１および＃２に対応するＦＰデータフレームおよび＃４および＃６に対応するＦＰデータフレームが格納される。この場合、データ格納順序補正部４１０は、正しい順序に整列できるまでＦＰデータフレーム、あるいは、転送データフレームを格納し、正しく整列できた段階で、ＦＰデータフレームを該当プロトコル、例えばＭＡＣへ転送する。【００７０】
ここで、ＦＰデータフレームあるいは転送データフレームのシーケンスナンバが正しい順序に整列されない要因として、ＦＰデータフレームあるいは転送データフレームの逆転が伝送路で発生した、あるいは、ＦＰデータフレームあるいは転送データフレームが伝送路で破棄されたなどが考えられる。【００７１】
ＦＰデータフレームあるいは転送データフレームが破棄された場合には、待機していても当該データが来ないため、正しい順序に整列できない。このため、データ格納順序補正部４１０は、所定の時間が経過するまで待機し、所定の時間が経過した時点でＦＰデータフレームを該当プロトコルへ転送するようにしてもよい。例えば、データ格納順序補正部４１０は、タイマを起動し、該タイマが満了した時点で、ＦＰデータフレームを該当プロトコルへ転送する。【００７２】
本発明の他の実施例にかかる無線アクセスネットワークについて説明する。【００７３】
本実施例にかかる無線通信システムの構成は、図１を参照して説明した上述した実施例にかかる無線アクセスネットワークの構成と同様である。ただし、プロトコルに関しては相違が有り、その相違点について説明する。【００７４】
アクセスゲートウェイ３００と基地局４００との間では、データフレームを用いてユーザデータパケットの転送が行われ、データフレームを構成するためのプロトコル、例えば、ＦＰが終端される。【００７５】
本実施例においては、アクセスゲートウェイ３００と基地局４００との間で終端されるプロトコルの一例として、ＦＰを適用した場合について説明するが、これに限定されるべきではなく、ＦＰ以外のプロトコル、例えば、ＧＴＰを適用するようにしてもよい。【００７６】
ハンドオーバ元の旧基地局４００１からハンドオーバ先の新基地局４００２へ転送されるユーザデータパケットは、基地局間で終端されるプロトコル、例えば、ＭＡＣを用いて行われ、ハンドオーバ元の旧基地局４００１からハンドオーバ先の新基地局４００２へユーザパケットを転送するための転送データフレームが構成される。【００７７】
本実施例においては、データ転送を実施するプロトコルの一例として、ＭＡＣプロトコルを適用する場合について説明したが、ＭＡＣに限定されるものではなく、転送用のプロトコルレイヤを用いて基地局間で終端し、ユーザデータパケットを転送する構成としてもよい。【００７８】
すなわち、本実施例においては、アクセスゲートウェイ３００と基地局４００との間で終端されるプロトコルとは異なる他のプロトコルで、ハンドオーバ元の旧基地局とハンドオーバ先の新基地局との間が終端される。【００７９】
本実施例にかかるアクセスゲートウェイの構成は、図２を参照して説明したアクセスゲートウェイの構成と同様であるため、その説明を省略する。【００８０】
本実施例にかかる基地局の構成は、図３を参照して説明した基地局の構成と同様である。ただし、各機能エンティティの機能に相違がある。【００８１】
制御部４０２は、自基地局が備える各機能エンティティに対し制御行う。
例えば、制御部４０２は、ハンドオーバプロシージャの起動を行う。【００８２】
有線伝送部４０４は、アクセスゲートウェイ３００から転送されたＦＰデータフレームをＦＰ部４０６へ転送する。また、有線伝送部４０４は、データ転送部４０８から転送された転送データフレーム、例えばＦＰデータフレームをハンドオーバ先の新基地局４００２へ転送する。その結果、転送データフレームは、アクセスゲートウェイ３００を介して、ハンドオーバ先の新基地局へ転送される。【００８３】
ＦＰ部４０６は、ＦＰデータフレームに含まれるシーケンスナンバ並びにユーザデータパケットの関連性を保ちながらデータ格納順序補正部４１０へユーザデータパケットを格納する。【００８４】
データ転送部４０８は、ハンドオーバ元の旧基地局４００１から転送されてきた転送データフレームをデータ格納順序補正部４１０へ格納する。また、データ転送部４０８は、データ格納順序補正部４１０で格納されている未送信並びに送達確認待ちのユーザデータパケットをハンドオーバ先の新基地局４００２へ転送するための転送データフレームをＦＰデータフレームのシーケンスナンバとユーザデータパケットの関連性を保った状態で構成する。例えば、データ転送部４０８は、シーケンスナンバの連続性を担保した状態で、転送データフレームを構成する。データ格納順序補正部４１０は、ＦＰ部４０６から転送されたＦＰデータフレームと、データ転送部４０８から転送された転送データフレームの順序を整列する。例えば、データ格納順序補正部４１０は、ＦＰデータフレームを該ＦＰデータフレームに格納されたシーケンスナンバ順に正しく整列させ、ＦＰデータフレームと、転送データフレームとを格納する。次に、本実施例にかかるＦＰデータフレームについて説明する。【００８５】
ＦＰデータフレームは、図４を参照して説明したＦＰデータフレームの構成と同様であるため、その説明を省略する。【００８６】
次に、本実施例にかかる転送データフレームについて、図１０を参照して説明する。【００８７】
転送データフレームがＦＰデータフレームと同一のデータフレームフォーマットであってもよいし、異なるデータフレームフォーマットでのよい。【００８８】
転送データフレームは、ＦＰデータフレームに割当てられていたシーケンスナンバとユーザデータパケット（ＰＤＣＰ  ＰＤＵ）との対応関係を保ちながら、転送データフレームを構成する。【００８９】
転送データフレームは、ヘッダ部、ペイロード部およびトレイラ部から構成される。【００９０】
ヘッダ部には、ＦＰデータフレームに割当てられていたシーケンスナンバを少なくとも含める。また、転送データフレームのロスを発生させないために、ヘッダ部に、転送データフレームのプライオリティ情報を含めるようにしてもよい。また、拡張性を考慮して、バージョンフラグ、スペアビットを含めるようにしてもよい。【００９１】
ペイロード部には、ヘッダ部のシーケンスナンバに関連づけられているユーザデータパケットが含まれる。【００９２】
トレイラ部には、転送データフレームの誤りをチェックするためのＣＲＣを含めるようにしてもよい。また、拡張性のためにスペアビットを含むようにしてもよい。【００９３】
本実施例において説明した転送データフレームの構成は、一例であり、これに限定されるものではない。【００９４】
本実施例にかかるアクセスゲートウェイ３００の動作は、上述した実施例にかかるアクセスゲートウェイの動作と同様であるため、その説明を省略する。【００９５】
次に、本実施例にかかる基地局４００の動作について説明する。【００９６】
ここでは、ハンドオーバ元の旧基地局４００１、ハンドオーバ先の新基地局４００２に分けてその動作を説明する。【００９７】
ハンドオーバ元の旧基地局４００１の動作フローについて、図１１および図１２を参照して説明する。【００９８】
基地局４００のＦＰ部４０６は、ＦＰデータフレームを受信したか否か判断する（ステップＳ１１０２）。【００９９】
ＦＰデータフレームを受信していないと判断した場合（ステップＳ１１０２：ＮＯ）、当該処理を終了する。【０１００】
一方、ＦＰデータフレームを受信していると判断した場合（ステップＳ１１０２：ＹＥＳ）、ＦＰ部４０６は、データ格納順序補正部４１０に、受信したＦＰデータフレームに連続的に割当てられ、格納されているシーケンスナンバと、該当ＦＰデータフレームに含まれているユーザデータパケットの対応を保ってユーザデータパケットを格納する（ステップＳ１１０４）。次に、ハンドオーバが開始される場合におけるハンドオーバ元の旧基地局４００１の動作について、図１２を参照して説明する。【０１０１】
制御部４０２は、ハンドオーバプロシージャが起動しているか否か判断する（ステップＳ１２０２）。【０１０２】
ハンドオーバプロシージャが起動されていない場合（ステップＳ１２０２：ＮＯ）、当該処理を終了する。【０１０３】
ハンドオーバプロシージャが起動されている場合（ステップＳ１２０２：ＹＥＳ）、データ転送部４０８は、データ格納順序補正部４１０に格納されている未送信並びに送達確認待ちのユーザデータパケットをハンドオーバ先の新基地局（ターゲット基地局）４００２へ転送する。例えば、データ転送部４０８は、転送データフレームを構成し、転送する（ステップＳ１２０４）。【０１０４】
このとき、データ転送部４０８は、転送データフレームに、ＦＰデータフレームに割当てられていたシーケンスナンバを含んで構成する。【０１０５】
次に、ハンドオーバ先の新基地局４００２の動作について、図１３を参照して説明する。【０１０６】
基地局４００のＦＰ部４０６は、アクセスゲートウェイ３００から送信されたＦＰデータフレームを受信したか否か判断する（ステップＳ１３０２）。【０１０７】
ＦＰデータフレームを受信していないと判断された場合（ステップＳ１３０２：ＮＯ）、ＦＰ部４０６は、ハンドオーバ元の旧基地局から転送データフレームを受信したか否か判断する（ステップＳ１３０４）。【０１０８】
ハンドオーバ元の旧基地局からの転送データフレームを受信していない場合（ステップＳ１３０４：ＮＯ）、当該処理を終了する。【０１０９】
一方、アクセスゲートウェイ３００から送信されたＦＰデータフレームを受信したと判断された場合（ステップＳ１３０２：ＹＥＳ）、データ格納順序補正部４１０は、ＦＰデータフレームに含まれるシーケンスナンバと同一のシーケンスナンバの箇所にＦＰデータフレームに含まれるユーザデータパケットを格納する（ステップＳ１３０６）。【０１１０】
また、ハンドオーバ元の基地局４００１から転送データフレームを受信していると判断された場合（ステップＳ１３０４：ＹＥＳ）、データ格納順序補正部４１０は、転送データフレームに含まれるシーケンスナンバと同一のシーケンスナンバの箇所に転送データフレームに含まれるユーザデータパケットを格納する（ステップＳ１３０８）。データ格納順序補正部４１０は、バッファを備え、該バッファにはシーケンスナンバが予め指定されている（リオーダリングバッファ）。次に、データ格納順序補正部４１０は、格納されたユーザデータパケットが、正しい順序で整列しているか否か判断する（ステップＳ１３１０）。【０１１１】
正しい順序で到着していると判断された場合（ステップＳ１３１０：ＮＯ）、整列済みのユーザデータパケットを該当プロトコル、ＭＡＣへ転送する（ステップＳ１３１２）
正しい順序に整列されていないと判断された場合（ステップＳ１３１０：ＹＥＳ）、正しい順序に整列できるまでユーザデータパケットを格納し、正しく整列できた段階で、ユーザデータパケットを該当プロトコル、例えば、ＭＡＣへ転送する（ステップＳ１３１４）。【０１１２】
ここで、ユーザデータパケットのシーケンスナンバが正しい順序に整列されない要因として、ＦＰデータフレームあるいは転送データフレームの順序逆転が伝送路で発生した、あるいは、ＦＰデータフレームあるいは転送データフレームが伝送路で破棄されたなどが考えられる。【０１１３】
このため、ＦＰデータフレームあるいは転送データフレームが破棄された場合には、待機していてもデータが来ないため、正しい順序に整列できない。このため、データ格納順序補正部４１０は、所定の時間が経過するまで待機し、所定の時間が経過した時点でＦＰデータフレームを該当プロトコルへ転送するようにしてもよい。例えば、データ格納順序補正部４１０は、タイマを起動し、タイマが満了した時点で、ユーザデータパケットを該当プロトコルへ転送する。【０１１４】
以上、説明したように本発明の実施例によれば、アクセスゲートウェイから基地局へ転送されるデータフレームに、アクセスゲートウェイで連続したシーケンスナンバを付与し、基地局において、シーケンスナンバの連続性、並びに、ユーザデータパケットを対応つけて管理することにより、ハンドオーバ元の旧基地局からハンドオーバ先の新基地局へ転送されるデータにおいてもシーケンスナンバの連続性が担保できる。このため、ハンドオーバ先の新基地局で、ユーザデータパケットを正しい順序に整列させることができる。【０１１５】
また、ハンドオーバ先の新基地局で、正しい順序にユーザデータパケットを整列させることにより、上位レイヤの特性劣化を抑えることができる。【０１１６】
本国際出願は、２００６年３月２８日に出願した日本国特許出願２００６−０８９４２４号に基づく優先権を主張するものであり、２００６−０８９４２４号の全内容を本国際出願に援用する。
【産業上の利用可能性】
【０１１７】
本発明にかかる基地局および経路制御装置並びにハンドオーバ制御方法は、無線通信システムに適用できる。
【図１】
2007116701.tif 000003
【図２】
2007116701.tif 000004
【図３】
2007116701.tif 000005
【図４】
2007116701.tif 000006
【図５】
2007116701.tif 000007
【図６】
2007116701.tif 000008
【図７】
2007116701.tif 000009
【図８】
2007116701.tif 000010
【図９】
2007116701.tif 000011
【図１０】
2007116701.tif 000012
【図１１】
2007116701.tif 000013
【図１２】
2007116701.tif 000014
【図１３】
2007116701.tif 000015
【国際調査報告】
2007116701.tif 000016
2007116701.tif 000017
2007116701.tif 000018